(57)【要約】骨切除器具は、切除する骨に対してツール（１）を正しく位置合わせするための支持および位置決め手段（２）と、支持および位置決め手段（２）に接続されるとともに、切除する骨に取り付け可能な支持体（８）を備えている切断ガイド（７）と、を備える。切断ガイド（７）は、切断面（９０）を有するとともに支持体（８）に取り外し可能に接続されるゲージブロック（９）を備える。器具（１）は、それぞれが互いに高さ（ｈ）が異なる複数のゲージブロック（９）を備える骨切除キットの一部である。【選択図】図１
2019509819.tif 000002
【特許請求の範囲】
【請求項１】
骨切除用器具であって、
切断する骨に対して前記器具（１）を正しく位置合わせするための支持および位置決め手段（２）と、
前記支持および位置決め手段（２）に接続されるとともに、切断する骨に取り付け可能な支持体（８）を有している切断ガイド（７）と、
を備え、
前記切断ガイド（７）は、切断面（９０）を有するとともに前記支持体（８）に取り外し可能に接続されるゲージブロック（９）を有している、
器具。
【請求項２】
前記ゲージブロック（９）は、クイックコネクション手段（１１）によって前記支持体（８）に接続される、
請求項１に記載の器具。
【請求項３】
前記クイックコネクション手段（１１）は、前記支持体（８）の近接側の面（８１）に形成される少なくとも一つのガイドレール（１２）と、前記ゲージブロック（９）の遠位側の面（９２）に形成されるとともに前記ガイドレール（１２）へ挿入可能であり前記ガイドレール（１２）の形状と整合するよう形成される少なくとも一つの脚部（１３）と、を有する、
請求項２に記載の器具。
【請求項４】
前記ガイドレール（１２）は、前記ゲージブロック（９）を前記支持体（８）に強固に係止するために、前記脚部（１３）に形成される球面状空洞部（１６）へ挿入可能な押圧要素（１５）を有する、
請求項３に記載の器具。
【請求項５】
前記クイックコネクション手段（１１）は、バネ荷重ボタン（１９）を有するクイックリリース装置（１８）を有している、
請求項２に記載の器具。
【請求項６】
前記ゲージブロック（９）は、前面（９５）に、前記支持体（８）の前面（８５）と当接するタブ（１７）を有しており、
前記クイックリリース装置（１８）は、前記ゲージブロック（９）を解放するよう前記タブ（１７）に作用する押圧脚部（２０）を有するバネ荷重ボタン（１９）を有している、
請求項５に記載の器具。
【請求項７】
前記ゲージブロック（９）は、内部にブレードを挿入できる切断貫通溝（９６）を有する、
請求項１から６のいずれか１項に記載の器具。
【請求項８】
前記ゲージブロック（９）は、前記切断面（９０）を形成する近接側の面（９１）を有する、
請求項１から６のいずれか１項に記載の器具。
【請求項９】
前記支持および位置決め手段（２）は、前記切断ガイド（７）の空間位置を決定する、
請求項１から８のいずれか１項に記載の器具。
【請求項１０】
前記切断ガイド（７）は、使用時に患者に向かって面するとともに特定の患者の解剖学的構造に応じて形成される少なくとも一の後面（７ｂ）を有する、
請求項１から９のいずれか１項に記載の器具。
【請求項１１】
前記支持および位置決め手段（２）は、前記器具（１）の安定した固有の位置決めを可能にするために、患者に特有の解剖学的基準点（２４）を提供するよう、前記切断ガイド（７）の前記支持体（８）と係合することができる特定の患者用の位置決め器（２６）を有する、
請求項１から１０のいずれか１項に記載の器具。
【請求項１２】
前記ゲージブロック（９）は、当該ブロックを掴みやすくするよう二つの側方受け部（２２）を有する、
請求項１から１１のいずれか１項に記載の器具。
【請求項１３】
切断する骨に対して器具（１）を正しく位置決めするための支持および位置決め手段（２）と、
前記支持および位置決め手段（２）に接続されるとともに、切断する骨に取り付け可能な支持体（８）を有する切断ガイド（７）と、
を備える骨切除ツール
を備える骨切除キットであって、
それぞれが切断面（９０）を有しており、それぞれが前記支持体（８）に取り外し可能に接続される複数のゲージブロック（９）を有しており、
それぞれのゲージブロック（９）は、前記切断面（９０）に対して直角に測定される高さすなわち厚さ（ｈ）がそれぞれ異なる、
キット。
【請求項１４】
大きさが連続する二つのブロック（９）の間の高さ（ｈ）の差異は、０．１ｍｍ〜１０ｍｍの範囲内の間隔であり、好ましくは０．５ｍｍ〜２ｍｍの範囲内の間隔である、
請求項１３に記載のキット。
【請求項１５】
前記器具（１）の安定した固有の位置決めを可能にするために、患者に特有の解剖学的基準点（２４）を提供するよう、前記切断ガイド（７）の前記支持体（８）と係合することができる特定の患者用の位置決め器（２６）を備える、
請求項１３または１４に記載のキット。
【請求項１６】
前記ゲージブロック（９）をクイックコネクション手段によって前記支持体（８）と係合可能である、
請求項１３から１５のいずれか１項に記載のキット。
【請求項１７】
支持および位置決め手段（２）を提供する工程と、
所定の高さのゲージブロック（９）を有する支持体（８）を有する切断ガイド（７）に前記支持および位置決め手段（２）を係合させる工程と、
前記支持体（８）にゲージブロックを係合させる工程と、
を含む骨切除器具を組み立てる方法において、
前記ゲージブロック（９）はクイックコネクション手段（１１）によって前記支持体に取り付け可能である、
方法。
【発明の詳細な説明】
【技術分野】
【０００１】
本発明は、骨切除のための器具、骨切除キット、およびそのような器具を組み立てる方法に関する。
【０００２】
膝の関節形成術、特に人工膝単顆置換術（ｕｎｉｃｏｍｐａｒｔｍｅｎｔａｌ  ａｒｔｈｒｏｐｌａｓｔｙ）において、人工器官の厚さに適合する可能な限り小さい切断とでき、異常ではない軟骨下骨を可能な限り大きな範囲で保存できるよう、より保存的な骨切除を実行することがユーザにとって必要であることが明白に示されている。
【０００３】
これにより、生理的負荷を受けたとき人工器官が沈み込む可能性を低減するよう、骨の質が関節負荷の支持に最適となるようなレベルにインプラントを位置決めすることができる。
【０００４】
これは、手術段階または前手術段階において定義される最小切断高さから出発して、小さい高さの変化で、漸進的に切断を補正できるよう外科手術技術と器具の使用とを合わせて得られる成果である。
【０００５】
言い換えれば、第一切断はより近接した位置において行われ、次第に切断線を下へと、所望位置に到着するまで、漸進的にずらしていく。
【背景技術】
【０００６】
現在商業的に入手可能な器具では、勾配角、内反／外反および切断高さなど所望のパラメータを保証するのに適した切断ガイドの位置決めを、解剖学的基準点から髄内または髄外の基準システムを用いて手術室において定義することができる。特に、切断高さは、プローブを用いて解剖学的基準点（例えば異常がある関節窩からより離れた点）に対して、または「アイボーリング（ｅｙｅｂａｌｌｉｎｇ）」技術を用いて（つまり実行される切断のレベルの外科医による目視確認（ｖｉｓｕａｌ  ｉｄｅｎｔｉｆｉｃａｔｉｏｎ）を介して）、定義することができる。
【０００７】
あるいは、切断ガイドの位置決めを、ＣＴまたはＭＲＩによる骨の状態の解析に基づいた計画によって、手術の前に定義することもできる。そのような計画は通常、靭帯および軟組織の状態の評価を実行できない。切断ガイドの位置決めは、前手術段階において決定されるパラメータを達成できる特定の患者用の位置決め器を用いて実行される。
【０００８】
特定の患者用の位置決め器は、外科患者の解剖学的基準点を表す器具または器具の一部として理解される。この器具は、器具の安定した固有の位置決めを可能にするよう、器具の整合点と照合する解剖的詳細（例えば骨増殖体）を基準点として取り込み、手術を受ける部分の解剖学的構造に基づいて、その場限りのために製造される。
【０００９】
上述した技術のうちの一つを用いて、切断ブロックの位置が定義される。切断ブロックは、二つ以上のペグすなわちピンを用いて骨に取り付けられる。
【００１０】
第一切断または切断ブロックの第一位置決めが、切断高さの点から満足でない場合（例えば膝がきつすぎるか、切断面のレベルの骨の質が人工器官の安定した埋設を可能にするには十分には良好でない理由で）、さらなる骨厚さを除去することにより補正することができる。
【００１１】
現在商業的に入手可能な器具では、切断高さの補正は、さらに近接した孔を用いて（切断ブロックがいくつかのレベルに予め位置合わせされた複数の孔の位置を有する場合）切断ブロックをピン上で再度位置決めすることによって、またはピンを取り外してガイドを遠位側へと微小調整システム（備えられている場合）を用いてもしくは「アイボーリング」技術を介してつまり目視確認を介して移動させて、その後二つ以上のペグでガイドを固定することによって、実行することができる。
【００１２】
出願人は、上述のすべて場合における欠点を見つけ、本発明によって克服しようとする。
【００１３】
特に適当なさらに近接した孔を用いて切断ブロックをピン上で再度位置決めすることに関係する機能的制限は、切断ブロックが移動できるのは飛び飛びの高さであるという事実に起因する。飛び飛びの高さの最小値は、ピンの直径と等しい直径の、均等に間隔を空けて配置された列の孔が形成されるという幾何学的な制限による制約を受ける。ある場合には、この値は、切断高さの最小限の保存的な補正には大き過ぎると考えられる。また、このタイプの再度の位置決めは、予めに骨に取り付けられるピンの傾斜が思いがけず変化することによって、または種々の孔の間の寸法差およびそれらの相対的な位置によって、当初得られていた位置合わせが変化する（切断ブロックを取り外し、ピンに再度挿入する際に）虞が必然的にある。
【００１４】
他方、ピンを取り外してガイドを遠位側へと微小調整システム（備えられている場合）を用いてもしくは「アイボーリング」技術を介してガイドを移動させる場合は、しかしながら、ガイドを完全に再度位置合わせするには、高さ補正の際に一定に保つ必要がある予め定義された切断パラメータ（勾配角および内反／外反）が変化する虞が伴う。この外科的処置はしたがって必然的に長い時間がかかる。またこの技術は、特に侵襲的である。ピンを取り外して再度位置決めするときに骨をさらに弱くしてしまうからである。
【００１５】
上述の欠点から、これらの欠点を改善することができる骨切除器具を提供する明らかな必要性がある。
【００１６】
したがって、本発明の目的は、ピンを取り外し異なる位置に置き直す必要がない切断高さを変更可能な骨切除器具を提供することにある。
【００１７】
本発明の他の目的は、外科的処置を低減し侵襲性を可能な限り最小限にとどめるよう骨切除のレベルを変更可能な骨切除器具を提供することにある。
【００１８】
本発明のさらなる目的は、切断パラメータを変わらないようにするとともに切断高さを変更できる骨切除器具を提供することにある。
【００１９】
本発明のまたさらなる目的は、外科医に上述の利点を提供できる骨切除キットを提供することにある。
【００２０】
また、手術段階において骨切除器具を容易に素早く組み立てることができる骨切除器具を組み立てる方法を提供することも本発明の目的である。
【００２１】
これらおよび他の目的は、添付の特許請求の範囲の一以上の請求項に記載されている骨切除器具によって十分に達成される。
【００２２】
本発明のさらなる目的は、添付の特許請求の範囲の一の請求項に提案する前述の骨切除器具を組み立てる方法を提供することにある。
【００２３】
最後に、添付の特許請求の範囲の一以上の請求項に提案する骨切除キットを提供するも本発明のさらなる目的である。
【００２４】
さらなる有用な特性は従属請求項に記載されている。
【図面の簡単な説明】
【００２５】
本発明は、以下の例示のためにのみ提供する添付の図面を参照する、以降の詳細な説明からさらに明らかとなろう。
【図１】使用時における本発明にかかる骨切除器具の斜視図である。
【図２】特定の患者用の位置決め器と係合する切断ガイドを有する本発明にかかる器具の細部の斜視図である。
【図３】図２に示す特定の患者用の位置決め器の斜視図である。
【図４】図２に示す特定の患者用の位置決め器の斜視図である。
【図５】ゲージブロックと係合する切断ガイドを有する本発明にかかる器具の一部の正面斜視図である。
【図６】図５に示したものの側方からの後部の斜視図である。
【図７ａ−７ｃ】三つの異なる高さを有するゲージブロックの斜視図である。
【図７ｄ】図７ｂのゲージブロックの下から見た斜視図である。
【図７ｅ】ゲージブロックの他の構成の斜視図である。
【図８】切断ガイドがサポートを一つだけ有する本発明にかかる器具の正面斜視図である。
【図９ａ】切断ガイドのサポートからゲージブロックを取り外す二つの操作段階のうちの一方である。
【図９ｂ】切断ガイドのサポートからゲージブロックを取り外す二つの操作段階のうちの他方である。
【図１０】手術が行われる身体に骨切除器具を正しく位置合わせするとともに位置決めするよう切断ガイドが特定の患者用の位置決め器と係合する、使用時における、図２に示す構成にかかる本発明の器具を表す図である。
【図１１】切断面に対して異なる高さを定義するために一方が他方より厚さが大きい二つの異なるゲージブロックに切断ガイドが係合している、使用時における、図５に示す構成にかかる本発明の器具を表す二つの図のうちの一方である。
【図１２】切断面に対して異なる高さを定義するために一方が他方より厚さが大きい二つの異なるゲージブロックに切断ガイドが係合している、使用時における、図５に示す構成にかかる本発明の器具を表す二つの図のうちの他方である。
【図１３】切断ガイドがサポートを一つだけ有する、図８に示す構成にかかる本発明の器具を表す。これは、サポートのゲージブロックへの連結に先行する（場合によっては特定の患者用の位置決め器の取り外しの後の）状況とできる、または使用時における本発明の対象である器具の制限的構成である。切断面を可能な限り低くするために、ゲージブロックが取り外され、そしてサポートの近接側の面が切断面として用いられている。
【発明を実施するための形態】
【００２６】
添付の図面において、本発明にかかる骨切除器具を参照符号１で示す。
【００２７】
器具は、切断する骨に対して器具１を正しく位置合わせするのに、特に手術を受ける解剖学的な部分に器具を正しく位置決めして係合するために用いられる、支持および位置決め手段２を備える。
【００２８】
具体的には、支持および位置決め手段２は髄外または髄内位置決めシステムを備える。
【００２９】
このような支持および位置決め手段２は、外科医が手術するべき点に対してツールを位置決めおよび位置合わせするよう、横方向平面に対する高さを調整でき、また矢状面に対して側方に調整でき、そして横方向平面に対する傾斜（いわゆる勾配角）を調整できる。
【００３０】
例示の意味でのみ、第一部分３ａと第二部分３ｂから成る伸縮可能なロッド３を備える髄外システムを説明するとともに図１に示す。第二部分３ｂは、第一端部３ｂ’が第一部分３ａへと挿入可能である。このために、第一部分３ａは、その第一端部３ａ’において開口している軸方向空洞部６を有する。
【００３１】
係止および係止解除機構４は、二つの部分の相対的な移動を可能とするとともに、対応するブロックを所望の位置へと移動させることができる。ロッド３の第二部分３ｂの第二端部３ｂ’’に対応して切断ガイド７の正確な部分を位置決めするよう、この係止および係止解除機構４を用いて、第二部分３ｂの高さをロッドの第一部分３ａに対して制御しながら調整可能である。
【００３２】
また髄外の支持および位置決め手段２は、それは患者の手足Ａまたは解剖学的構造の一部分と結合するよう構成される基部５を備える。基部５は、ロッド３と直交するアーム５ａと、患者の解剖学的構造Ａの一部分に係止されるよう構成される環状部品（カラー）５ｂと、を備えることができる。
【００３３】
基部５は、ロッド３に可動に取り付けられている。
【００３４】
特に、ロッド３の第一部分３ａは、その第二端部３ａ’’に、アーム５ａが収容されて摺動することができる孔３１を有する。
【００３５】
脛骨の切断の場合には、例えば、凹状輪郭を有するカラー５ｂが、足首に係合し、そしてラバーバンド、ストラップ、足首バンドまたは他の同様な装置を用いて固定される。
【００３６】
ロッド３は、二つの部材間の垂直構成を常に維持しながら、アーム５ａに沿って移動できる。
【００３７】
ロッド３の第一部分３ａと第二部分３ｂとの間の相対的な移動を可能にする機構と同様に、係止および係止解除機構４１は、手術するべき患者の解剖学的構造の一部分にロッド３がしたがって切断ガイド７が近付くようまたは離れるよう移動するように、ロッド３とアーム５ａとの間の移動を調節する。前記係止および係止解除機構４１を用いて、勾配角を変更するよう、矢状面におけるロッド３ｂの傾斜を調整することもできる。
【００３８】
カラー５ｂは、アーム５ａの一方の端部５ａ’に配置される。
【００３９】
また、支持および位置決め手段２は、カラー５ｂとアーム５ａとの間の矢状面に対する側方の相対的移動を通じて、矢状面に対して調整可能である。
【００４０】
また骨切除器具１は、切断の際にブレードを案内するよう構成される切断ガイド７を備える。
【００４１】
前記支持および位置決め手段２に接続されるこのガイド７は、切断される骨に取り付けできる支持体（サポート）８と、実際の切断面９０を定義するゲージブロック９（すなわちシム）と、を備える。ゲージブロック９は、サポート８に取り外し可能に接続される。
【００４２】
サポート８は、典型的には、サポート８に形成される対応する数の孔１０を通じて挿入できる複数のピン３０を用いて、骨に取り付けることができる（図１０〜図１３に示す通り）。
【００４３】
好適には、ゲージブロック９は、迅速に接続できる（クイックコネクション）手段１１（図７ｄおよび図８）を用いて、サポート８に接続される。
【００４４】
クイックコネクション手段１１は、サポート８の近接側の面８１に形成される少なくとも一つのレール・ガイド１２と、ゲージブロック９の遠位側の面９２に形成される少なくとも一つの脚部１３と、を備える。
【００４５】
脚部１３は、レール・ガイド１２の形状に対して相補的な形状に形成され、ゲージブロック９をサポート８に固定するためにレール・ガイドへと挿入することができる。
【００４６】
好ましくは、脚部１３は、Ｔ字状の断面を有し、ちょうどレール・ガイド１２が、その下に脚部１３のＴ字のヘッドが挿入される一ペアの下を切り取った部分（アンダーカット）１４を有する。
【００４７】
好適には、レール・ガイド１２はまた、ゲージブロック９をサポート８に強固に係止するために、脚部１３に形成される球面状空洞部１６へ挿入可能な押圧要素１５を有する。
【００４８】
ゲージブロック９は、その正面９５に、サポート８の前面８５と当接するタブ１７を有する。
【００４９】
クイックコネクション手段１１はまた、サポート８と係合するバネ荷重ボタン１９を備える迅速に解放できる（クイックリリース）装置１８を備える（図５、図８、図９ａおよび図９ｂ）。
【００５０】
バネ荷重ボタン１９は、元の位置（レスト・ポジション）ではサポート８に形成されるハウジング２１の内部に配置される押圧（プレス）脚部２０を有する。図９ａおよび図９ｂに示す通り、バネ荷重ボタン１９に圧力を印加することにより（図９ｂにおける矢印Ｐによって示す）、プレス脚部２０はハウジング２１から突出してタブ１７に向かって移動して、タブを外側に向かって押し、これにより、ゲージブロック９を解放する（図９ｂに示す矢印Ｆの方向に）。
【００５１】
ゲージブロック９の近接側の面９１は、切断面９０を形成するブレードの載置面として機能する。
【００５２】
図７ｅに示す他の構成では、ブレードの思いがけない鉛直方向のずれおよび／または傾斜を回避するために、切断動作全体にわたってブレードを案内するよう内部にブレードを挿入することが可能である貫通溝（スロット）９６を、ゲージブロック９は有することができる（図７ｅ）。
【００５３】
切断ガイド７は、使用時に患者に向かって面するとともに、切除する骨の解剖学的構造に例えば脛骨に応じて形成される少なくとも一の後面７ｂを有する（図６に示す通り）。言い換えれば、サポート８およびゲージブロック９の両方は、手術する患者の部分の解剖学的構造に可能な限り従うよう形成されるガイド７の後面７ｂを一体的に形成する対応するそれぞれの後面８３，９３を有する。
【００５４】
特に、膝蓋腱または他の器官と接触する虞を低減し、そして治療する脛骨または骨と可能な限り近くすることができるよう、後部の半径は、脛骨または配置される骨の解剖学的構造と近似している。さらに、すべての縁部は、軟組織の損傷を回避するために丸みが付けられる。
【００５５】
より掴みやすくするために、ゲージブロック９は、高さが低くてもブロック９を容易にかつ安全に掴むことができるようその内向き・外向き面９４に、二つの窪み部分（ハウジング）２２を有する。
【００５６】
図２に示す好ましい実施形態において、支持および位置決め手段２は、特定の患者用の位置決め器としても知られるインサート２６を備える、インサート２６は、切断ガイド７のサポート８に係合可能であり、患者に特有の解剖学的基準点２４を有する（図３および図４）。これらの解剖学的基準点２４は、例えばプローブは、器具１の安定した固有の位置決めを可能にするために、患者の所定の解剖学的な点と当接する。
【００５７】
ゲージブロック９は、近接側の面９１に対して直交する方向に測定される高さｈを最小と最大との間で変更することができる。最小高さおよび最大高さは、手術における必要性に応じて、望ましいように定義することができる。この高さｈは、切断面と遠位側の面９２との間の距離として定義される。そしてまた、遠位側の面９２は、骨切除ブレードを案内するよう構成される面として定義される切断面である。第一実施形態では、図６に示し参照符号９１を付したこの平面は、近接側の面と一致する。一方、他の実施形態においては、前記切断面は、図７ｅにおいて示す切断スロット９６によって定義される平面と一致する。
【００５８】
例示のためにのみ、図７ａ〜７ｃに、三つの異なる高さｈを有する三つの異なるゲージブロック９を示す。
【００５９】
上述した骨切除器具は、任意選択的にサポート８に係合可能な複数のゲージブロック９を備える骨切除キット（器具一式）の一部である。
【００６０】
互いに異なる高さｈを有する一連のゲージブロック９を提供するために、それぞれのゲージブロック９は他のゲージブロックとは異なる厚さすなわち高さｈを有する。
【００６１】
特に、ブロックの高さが他のブロックと異なる間隔は、０．１ｍｍ〜１０ｍｍであり、好ましくは０．５ｍｍ〜２ｍｍである。
【００６２】
結論として、一のゲージブロック９と他のゲージブロックとの間とできる「切断ギャップ」は、したがって一の切断面とさらに切断するために用いられるその直ぐ次ぎに続く切断面との間のギャップは、０．１ｍｍ〜１０ｍｍとでき、その間隔が好ましくは０．５ｍｍ〜２ｍｍの間の範囲内にある。しかしながら、１０ｍｍを超える間隔とすることもできる。
【００６３】
このように、どのゲージブロック９をサポート８と係合させるかに応じて、用いられるゲージブロック９の厚さに応じた異なる高さに配置される切断面９０が得られる。
【００６４】
これにより、サポート８を移動させずに、したがって、ピン３０を取り外すまたはロッド３の第一部分３ａと第二部分３ｂとの間の相対的な位置を調整することなく、切断面９０の高さを変更することができる。
【００６５】
好適には、切断ガイド７は、特にサポート８は、第二部分３ｂに取り外し可能に取り付けられる。
【００６６】
第二部分は、切断ガイド７を突き出させて患者と非常に近接させる肘部（エルボー）３５を有する。
【００６７】
ロッド３の第一部分３ａと第二部分３ｂとを一体に接続するよう支持および位置決め手段２を組み立てた後、所定の高さのゲージブロック９がロッド３の最上部に配置されるサポート８と係合する。
【００６８】
ゲージブロック９は、クイックコネクション手段１１を用いて、サポートに接続可能である。詳細には、ブロック９の脚部１３は、サポート８に配置される対応するそれぞれのレール・ガイド１２の内側のＴ字状接続によって挿入される（図７ｄ、図８）。
【００６９】
ブロック９は押されてサポート８上を摺動し、移動を終えるまで、つまりそれぞれの脚部１３がレール・ガイド１２の端部に到達するまで、レールに沿って滑る。
【００７０】
この位置において、レール・ガイド１２の押圧要素１５は、脚部１３に形成される対応するそれぞれの球面状空洞部１６へと挿入されて、ゲージブロック９がサポート８に安定して固定される。
【００７１】
さらにこの位置において、ブロック９のタブ１７は、サポート８の前面８５と当接し、したがって、プレス脚部２０の前に位置し、これにより、ハウジング２１へのアクセスを封鎖する。
【００７２】
異なる高さのブロックと置き換えるために、ブロック９をレール１２から容易に取り外し引き出すよう、クイックリリース装置１８が作動される、特にバネ荷重ボタン１９（図９ｂ）が押圧される。
【００７３】
バネ荷重ボタン１９は軸２５に沿ってヒンジ状に連結されており、そしてその軸を越えて継続して延びている（これにより、プレス脚部２０がバネ荷重ボタンの一部を形成している）。
【００７４】
レスト位置においては、プレス脚部２０はサポート８の内部に収容されており、バネ荷重ボタン１９はサポート８の前面８５から突出している。バネ荷重ボタン１９を操作し、サポート８の前面８５に向かって押すことによって、プレス脚部２０がピボット軸回りに同時に回転を始め、そのハウジング２１から突出する。
【００７５】
このようにプレス脚部２０は、タブ１７に作用して、ゲージブロック９を移動させてサポート８から解放する。
【００７６】
ゲージブロック９をその側方ハウジング２２で掴むことによって、ゲージブロックをそのサポートから滑らせて完全に外すことができ、そして異なる高さのゲージブロックと置き換えることができる。
【００７７】
骨からガイド７を取り外すことは必要ではなく、またこれらの動作を実行するのにピン３０を取り外すことも必要ではない。
【００７８】
骨切除器具を、二つの異なる応用分野において用いることができる。第一の応用分野は、従来の（特定の患者用ではない）位置決めシステムであり、第二の応用分野は、特定の患者用の位置決めシステムである。
【００７９】
両方の場合において、切断ガイド７は、骨に取り付けられるサポート８と、クイックコネクション手段１１を用いてサポート８に組み付けられるインサートまたはゲージブロック９（またはシム）と、から成る。
【００８０】
ゲージブロック９の上側平面すなわち近接側の面９１によって、またはゲージブロックに形成される切断スロット９６によって定義される平面によって、上述の通り、骨切除のレベルが定義される。サポート８に対する骨切除のレベルは、ブロック９の厚さｈによって決定される。異なる厚さのゲージブロック９によって、異なる切除レベルを決定できる。
【００８１】
従来の位置決めシステムと特定の患者用の位置決めシステムとの間の違いは、第一の場合には、その位置を、切断パラメータ（勾配角、内反／外反の角度および初期の所望の切断高さ）に応じて定義でき、そして解剖学的な基準（例えば足首、脛骨の解剖学的な軸、脛骨トレー（ｔｉｂｉａｌ  ｔｒａｙｓ）の傾斜など）に対して手術室において定義される髄内または髄外支持および位置決め手段２に切断ガイド７を接続することができることにある。
【００８２】
外科手術技術では、切断パラメータ（傾斜角、内反／外反および最小切断高さ）が定義されると、サポート８がこれに応じて配置され、サポート８における位置決め孔１０の内部に挿入されるペグすなわちピンを用いて骨に取り付けられることが必要とされる。
【００８３】
異なる厚さすなわち高さｈを有するゲージブロックを用いることにより、サポート８を取り外したり再度位置決めしたりする必要なく骨に取り付たままで、切断高さパラメータを変更することができる。
【００８４】
この器具により、切断高さの変化の大きさは、もはや幾何学的制限（多くの場合、その制限の切断レベルの最小変更は２ｍｍである）によって限定されず、代りに、個々のゲージブロック９の厚さの変更により決定される。
【００８５】
また、ガイドを続けて何度も位置決めすることを回避でき、それによって切除器具を誤って位置合わせする虞を回避できる。
【００８６】
第二の場合においては、切断ガイド７を特定の患者用の位置決めシステムに接続することができる。
【００８７】
この場合、切断ガイド７は前述の特定の患者用の位置決め器２６を備える、安定した固有の位置決めのための基準点として用いられる患者に特有の（例えば骨増殖体（ｏｓｔｅｏｐｈｙｔｅｓ）の）解剖学的基準点２４を有するインサートである（図２〜図４および図１０）。
【００８８】
特定の患者用の位置決め器２６は、患者の骨の立体幾何の前手術解析に基づいて構成される。
【００８９】
これにより、切除を位置合わせし、前手術の段階で定義される切断パラメータ（勾配角、内反／外反、最小切断高さ）に適合させるよう、切断ガイド７を位置決めすることを可能にする。
【００９０】
高精度な位置が分かると、サポート８に形成される孔１０に挿入されるペグ３０を用いて、ガイド７を骨に取り付けることができる。
【００９１】
ガイドによって得られる位置が設定されると、再現（ｒｅｃｏｎｓｔｒｕｃｔｉｏｎ）によって前手術の段階において定義された位置と一致することになる。
【００９２】
サポート８を骨に取り付けた後、次に、切断ガイド７を定位置に維持しながら位置決め器２６を取り外すことができる。
【００９３】
ゲージブロック９をサポート８に係合させるのと正確に同じ方法で、つまりクイックコネクション手段１１によって、位置決め器２６はサポート８と係合する。
【００９４】
位置決め器２６の脚部１３は、サポート８の対応するレール１２内へとＴ字状接続によって挿入される。サポート８に位置する二つの押圧要素１５が位置決め器２６の脚部の端部において二つの球面状空洞部１６へと挿入されるまで、位置決め器２６をレール１２に沿って摺動させる。
【００９５】
また位置決め器２６は、その前部分に、サポート８の前面８５と当接するよう押されるタブ１７を有する。
【００９６】
また、特定の患者用の位置決め器２６の解放機構も、したがって、ゲージブロック９の解放機構と同様である。特定の患者用の位置決め器２６も、先に説明したクイックリリース装置１８を用いる。
【００９７】
特定の患者用の位置決め器２６が取り外された状態で、切断面９０を定義するゲージブロック９をサポート８に係合させることができる。
【００９８】
この時点で、第一切断を行うことができる。
【００９９】
その後、切断高さを、異なる厚さのブロック９（図７ａ〜図７ｃ）を素早く交換することにより、変更することができる。
【０１００】
使用時において、支持および位置決め手段２を配置した後、高さがより大きいゲージブロック９（例えば厚さは＋０ｍｍで示される）をサポート８に接続するよう、切断ガイド７が組み立てられる。
【０１０１】
次に、切断パラメータ（勾配角、内反／外反、最小切断高さ）が、「アイボーリング」技術または髄内または髄外の基準システムを用いて定義される。
【０１０２】
ガイド７の位置が十分に条件を満たしている場合、切断ガイドは二つのペグを用いて骨に固定される。
【０１０３】
こうして切断パラメータが設定される。位置合わせロッド３が好ましくは、勾配角および内反／外反を確認するために用いられる。切断高さは、異なる厚さのゲージブロック９に交換することにより、変更できる。この時点で、切断パラメータが確認され、ブレードをブロック９の近接側の面９１上に直接支持することによって、またはブレードを切断スロット９６（形成されている場合）を挿入することによって、骨切除を行うことができる。
【０１０４】
好適には、過度の切除を回避するために、より大きな厚さを有しているゲージブロック９から始め、そのゲージブロック９をより小さい高さを有するゲージブロックに漸進的に置き換えるよう進めることが好ましい。切断の位置を、このように、徐々に制御した方法で変更することができる。
【０１０５】
したがって、第一ブロック９を位置決めし、第一切除を実行した後、十分に条件を満たして行われたか否か（例えば、切断のレベルにおいて生じる骨の質および曲げ伸ばし（ｆｌｅｘｉｏｎ−ｅｘｔｅｎｓｉｏｎ）において生じる堅さ（ｔｉｇｈｔｎｅｓｓ）が十分に条件を満たしているか、人工器官を埋設できる十分な厚さが除去されたか）を見て確認が行われる。実行された切除が不十分に見える場合、骨に取り付けられたサポート８の位置を変えずに、使用しているそのブロック９を高さがより低いブロックと置き換えることにより、切断高さを下げる（図１１および図１２）。
【０１０６】
その後、さらなる切除が実行される。それがまだ不十分な場合、最適な切断高さが達成されるまで、順に高さがより小さいブロックを繰り返し用いる。
【０１０７】
サポート８の位置を変更することなく、切断面と同じサポート８の近接側の面８１を用いることによって、最小切断高さを得ることができる（図１３）。
【０１０８】
特定の患者用の位置決め器２６を使用する外科手術技術は、直ぐ上で説明したものと同様である。
【０１０９】
違いは、関節のＣＴ／ＭＲＩ走査に応じて、大きさ、傾斜、内反／外反、最小の切断高さを定義する前手術計画が実行されることにある。手術室において、位置決め器２６は切断ガイド７のサポート８と結合される。その後、位置決め器２６を手で配置する。位置決め器は固有のものである。正しい位置は、位置決め器２６と骨との間に最大の安定性を保証する位置であり、したがって、ガイド７の最適かつ安定した位置決めが得られる。位置が十分に条件を満たしていれば、サポート８の孔１０を通じて取り付けられた二つのペグを用いて、切断ガイド７が骨に取り付けられる。
【０１１０】
この時点で、位置決め器２６を取り外し、ゲージブロック９をサポート８に接続することが可能である。この時点から先は、直ぐ上で説明した通り、高さがより大きい第一ゲージブロック９を用いて第一切断を実行する。
【０１１１】
骨切除のレベルを評価し、適当な切断高さに達するまで、使用しているそのブロック９を高さｈがより低いブロックと置き換えることを継続する（図１１および図１２）。
【０１１２】
ゲージブロック９の高さｈによって、切断面のレベルが決定される。切断面のレベルは、毎回異なる高さブロック９を用いることにより変更できる。
【０１１３】
異なる厚さのブロック９を単に交換するこのシステムにより、一貫的な位置合わせを保証しながら、毎回サポート８を取り外して再度配置する必要なく、０．１ｍｍ〜１０ｍｍの飛び飛びの段で切除のレベルを変更することできる。
【０１１４】
器具の使用において外科医が利用可能な異なるブロック間の厚さの変化を、したがって異なる厚さのブロック９を交換することにより得られる切断レベルの変化を、所望により定義することができる（好ましくは０．５ｍｍ〜２ｍｍ）。
【０１１５】
手術する関節に応じて、切断ガイド７を、右側−中央／左側−側部（ｒｉｇｈｔ−ｍｅｄｉａｌ／ｌｅｆｔ−ｌａｔｅｒａｌ）または左側−中央／右側−側部（ｌｅｆｔ−ｍｅｄｉａｌ／ｒｉｇｈｔ−ｌａｔｅｒａｌ）構成に形成することができる。この寸法の低減と形状設計により、種々の外科アプローチ（最小侵襲法や人工膝単顆置換術も含む）における使用に適合させることができる。
【０１１６】
本発明により、多くの利点を確保でき、その意図した目的を達成することができる。
【０１１７】
本発明の骨切除器具によって、手術時間全体にわたってサポートをしたがって切断ガイドを連続的に繰り返し再度位置決めするのを回避するよう切除のレベルを変更することができる。
【０１１８】
本発明によって、ガイドを繰り返し再度位置決めするのを回避し、その結果、定義された切断パラメータが変化する虞および／または切除器具の切除器具を誤って位置合わせする虞を回避するよう、一旦切断ガイドが配置された後でも、脛骨切除のレベルを変更することができる。
【０１１９】
この技術により、微小切断変更を定義でき、ガイドの固定ピンを再度位置具決めする必要性を回避できるので、患者のために、侵襲性が小さく、より短い外科手術手順を達成することができる。
【０１２０】
本発明にかかる骨切除器具によって、一旦ガイドが配置された後でも、最小限の、保存的な切断カットを実行できるよう、切断高さの大きさを変更することができる。
【０１２１】
切断高さの変化の大きさは、もはやガイドにおけるまたは従来の再度位置決めするかつ／または固定するシステムにおける幾何学的制限（現在商業的に入手可能な器具においては、ガイドを再度位置決めできる最小の変更は２ｍｍである）によって限定されず、代りに、各ゲージブロックの異なる厚さにより決定される。異なる厚さの間の差異は０．１ｍｍ〜１０ｍｍとでき、好ましくは０ｍｍ〜２ｍｍとできる。
【図１】
2019509819.tif 000003
【図２】
2019509819.tif 000004
【図３】
2019509819.tif 000005
【図４】
2019509819.tif 000006
【図５】
2019509819.tif 000007
【図６】
2019509819.tif 000008
【図７ａ】
2019509819.tif 000009
【図７ｂ】
2019509819.tif 000010
【図７ｃ】
2019509819.tif 000011
【図７ｄ】
2019509819.tif 000012
【図７ｅ】
2019509819.tif 000013
【図８】
2019509819.tif 000014
【図９ａ】
2019509819.tif 000015
【図９ｂ】
2019509819.tif 000016
【図１０】
2019509819.tif 000017
【図１１】
2019509819.tif 000018
【図１２】
2019509819.tif 000019
【図１３】
2019509819.tif 000020
【国際調査報告】
2019509819.tif 000021
2019509819.tif 000022
2019509819.tif 000023